(57)【特許請求の範囲】
【請求項１】
相手側接続端子の接続端と接続する端子接続部及びその後方両側に立ち上げた係止片を有する接続端子を収容するために、それぞれ左右の仕切板によって画成した複数個の端子収容室を有するハウジングと、該ハウジングの後部に仮係合位置及び本係合位置で前記接続端子に係合して前記接続端子を係止する係止ランスを備えたリアホルダとから成るコネクタにおいて、前記係止ランスはその左右の側面が前記端子収容室を画成する前記左右の仕切板と接触するような幅を有し、前記係止ランスの先端には、前記仮係合位置及び本係合位置において前記端子接続部の後部と係止して前記接続端子の後方への移動を規制する端子後方規制部と、前記係止ランスの両側部に上部を切欠した形状を有し深さが前記係止片の厚さにほぼ等しい溝部を形成し、これらの溝部の前側面に前記係止片の前縁を当接することにより前記接続端子の前方への移動を規制する端子前方規制部とを設けたことを特徴とするコネクタ。
【発明の詳細な説明】
【０００１】
【産業上の利用分野】
本発明は、例えば自動車等の電気配線に使用され、ハウジングに収容した接続端子を係止するためのリアホルダを備えたコネクタに関するものである。
【０００２】
【従来の技術】
従来のこの種のコネクタでは、ハウジングの後部にリアホルダが前後動自在に係合され、リアホルダは中間まで挿入された仮係合位置と、十分に押し込まれた本係合位置とでハウジングに係合するようにする場合がある。これはハウジングに接続端子を収容した後にリアホルダを取り付けるのでは、接続端子に接続した電線を個々にリアホルダを挿通しなければならないために、リアホルダの仮係合状態で接続端子と電線とをリアホルダを通過させるためである。
【０００３】
また、ハウジングに収容された接続端子を係止する係止ランスをハウジングに設けずに、リアホルダに一体に設けることもある。この場合には、係止ランスの成形が容易となり、比較的耐久性を有し高価な材質を要する係止ランスを、樹脂が小容量で済むリアホルダに設けるため全体として安価となる。
【０００４】
【発明が解決しようとする課題】
しかしながら、この従来のコネクタにおいては、係止ランスが接続端子の後方への移動を規制する形状に形成されているため、運搬中などにおいてリアホルダの仮係合中に接続端子を前方へ押した場合には、係止ランスと接続端子の係止状態が容易に崩れてしまうという問題点がある。
【０００５】
本発明の目的は、このような問題点を解消し、係止ランスと接続端子との安定した係止状態を常時確保できるコネクタを提供することにある。
【０００６】
【課題を解決するための手段】
上記目的を達成するための本発明に係るコネクタは、相手側接続端子の接続端と接続する端子接続部及びその後方両側に立ち上げた係止片を有する接続端子を収容するために、それぞれ左右の仕切板によって画成した複数個の端子収容室を有するハウジングと、該ハウジングの後部に仮係合位置及び本係合位置で前記接続端子に係合して前記接続端子を係止する係止ランスを備えたリアホルダとから成るコネクタにおいて、前記係止ランスはその左右の側面が前記端子収容室を画成する前記左右の仕切板と接触するような幅を有し、前記係止ランスの先端には、前記仮係合位置及び本係合位置において前記端子接続部の後部と係止して前記接続端子の後方への移動を規制する端子後方規制部と、前記係止ランスの両側部に上部を切欠した形状を有し深さが前記係止片の厚さにほぼ等しい溝部を形成し、これらの溝部の前側面に前記係止片の前縁を当接することにより前記接続端子の前方への移動を規制する端子前方規制部とを設けたことを特徴とする。
【０００７】
【作用】
上述の構成を有するコネクタでは、係止ランスは接続端子の端子接続部の後部を係止して接続端子の後方への移動を規制すると共に、係止ランスの両側部に設けた溝部により接続端子に設けた係止片を係止して接続端子の前方への移動を規制する。
【０００８】
【実施例】
本発明を図示の実施例に基づいて詳細に説明する。
図１は実施例の断面図であり、後部に電線１１を接続した接続端子１２をハウジング１３に収容し、ハウジング１３の後部に係合したリアホルダ１４により接続端子１２を係止した状態を示している。
【０００９】
接続端子１２は導電金属板により形成され、図示しない相手側端子と接続する角筒状の端子接続部２１と、接続端子１２の姿勢を安定させるための左右に対向する２枚のスタビライザ片２２、２３（２３は図示せず）と、電線１１の芯線を固定する芯線固定部２４と、電線１１の被覆を固定する被覆固定部２５とが前方から順次に設けられている。
【００１０】
ハウジング１３とリアホルダ１４は電気絶縁性を有する合成樹脂材により形成されており、図２の斜視図に示すようにハウジング１３には、上壁１３ａ、上下隔壁１３ｂ、下壁１３ｃと左右の仕切板３１により仕切られた複数の端子収容室３２が２段複列に設けられている。ハウジング１３の後部には、リアホルダ１４の上壁、上下隔壁、下壁がそれぞれ嵌入するスリット３３、３４、３５が設けられ、リアホルダ１４の側壁がそれぞれ嵌入する隙間３２ａ、３２ｂが最外側の仕切板３１と側壁１３ｄ、１３ｅの間に形成されている。
【００１１】
また、端子収容室３２の前端部には、接続端子１２の前方への移動を規制する前方規制部３６が形成されている。端子収容室３２の前部には、接続端子１２の端子接続部２１を支持する端子支持台３７ａが設けられ、この端子支持台３７ａの後端には後述する係止ランスを支持するランス支持台３７ｂが設けられている。そして、ハウジング１３の側壁１３ｄ、１３ｅには後方に開口する案内窓３８、３９が形成され、案内窓３８、３９の前方の側壁１３ｄ、１３ｅの内面には、片側２個ずつの図示しない錠止溝がそれぞれ形成されている。
【００１２】
一方、リアホルダ１４にはハウジング１３の後部に前後動自在に嵌合されるホルダ本体部５１が設けられ、このホルダ本体部５１はハウジング１３のスリット３３、３４、３５にそれぞれ嵌入する上壁５１ａ、上下隔壁５１ｂ、下壁５１ｃと、ハウジングの左右の隙間３２ａ、３２ｂにそれぞれ嵌入する側壁５１ｄ、５１ｅとを有している。上下隔壁５１ｂと下壁５１ｃの上面には、ハウジング１３の仕切板３１の底部を案内する案内溝５２がそれぞれ形成され、側壁５１ｄ、５１ｅにはハウジング１３の案内窓３８、３９に案内される案内突起５３、５４と、ハウジング１３の錠止溝に錠止される片側２個ずつの錠止突起５５、５６（５６は図示せず）とがそれぞれ設けられている。
【００１３】
また、ホルダ本体部５１の上壁５１ａと上下隔壁５１ｂの下面には、接続端子１２の被覆固定部２５を係止する係止突起５７がそれぞれ設けられている。更に、ホルダ本体部５１の前端部には、接続端子１２の端子接続部２１とスタビライザ片２２、２３を係止する係止ランス５８が、上下隔壁５１ｂと下壁５１ｃからそれぞれ前方の斜め上方に向けて突設されている。
【００１４】
図３の部分拡大斜視図に示すように、係止ランス５８はハウジングの仕切板３１に接触する幅つまり端子収容室３２とほぼ同じ幅とされ、そこには端子接続部２１の下面とランス支持台３７ｂの間に圧入される端子押圧部６１と、端子接続部２１の後端部を係止する端子係止部６２とが設けられると共に、スタビライザ片２２、２３を係止するスタビライザ案内溝６３、６４が、係止ランス５８の両側面の上部の一部を切欠してそれぞれ形成されている。
【００１５】
これらのスタビライザ案内溝６３、６４の深さは、スタビライザ片２２、２３の厚さとほぼ同等とされ、スタビライザ片２２、２３がスタビライザ案内溝６３、６４に嵌入した状態で、係止ランス５８の両側面が端子収容室３２の両仕切板３１に接触するようになっている。また、端子係止部６２が端子接続部２１の後部を係止した際に、スタビライザ案内溝６３、６４の前壁がスタビライザ片２２、２３の前縁を係止するようになっている。
【００１６】
このように形成されたハウジング１３とリアホルダ１４とは、図４の斜視図に示すように、リアホルダ１４がハウジング１３の後部に中間まで挿入された仮係合位置と、図５の斜視図に示すようにリアホルダ１４がハウジング１３に対して十分に押し込まれた本係合位置とで係合される。
【００１７】
即ち、リアホルダ１４の仮係合位置では、リアホルダ１４の上壁５１ａ、上下隔壁５１ｂ、下壁５１ｃと側壁５１ｄ、５１ｅがハウジング１３のスリット３３、３４、３５と隙間３２ａ、３２ｂにそれぞれ嵌入し、ハウジング１３の仕切板３１の下部がリアホルダ１４の案内溝５２に嵌入し、リアホルダ１４の案内突起５３、５４がハウジング１３の案内窓３８、３９にそれぞれ嵌入している。そして、リアホルダ１４の本係合位置では、錠止突起５５、５６がハウジング１３の錠止溝にそれぞれ嵌合するようになっている。
【００１８】
電線１１付きの接続端子１２はリアホルダ１４がこの仮係合位置にあるときに端子収容室３２内に挿入される。このとき、図６の上段に示すように接続端子１２の端子接続部２１が係止ランス５８の端子係止部６２の上面を押圧し、スタビライザ片２２、２３が係止ランス５８のスタビライザ案内溝６３、６４の上部に嵌入する。また、外方に撓んだ係止ランス５８の端子押圧部６１がランス支持台３７ｂの後面に当接し、リアホルダ１４の前進が規制される。
【００１９】
接続端子１２を更に押し込むと、端子接続部２１が係止ランス５８の端子係止部６２を越えたときに係止ランス５８が復元し、図６の下段に示すように端子係止部６２が端子接続部２１の後端部を係止すると共に、スタビライザ片２２、２３が案内溝６３、６４に完全に嵌入して、スタビライザ片２２、２３の前縁が案内溝６３、６４の前壁つまり端子係止部６２の後部に当接する。同時に、係止ランス５８の端子押圧部６１がランス支持台３７ｂの上面に進入し得る位置に移動し、接続端子１２の被覆固定部２５の後部がリアホルダ１４の係止突起５７の前方に位置する。
【００２０】
このような状態からリアホルダ１４をハウジング１３に向けて押し込むと本係合状態となり、係止ランス５８の端子係止部６２とホルダ本体部５１の係止突起５７が端子接続部２１と被覆固定部２５をそれぞれ押圧し、係止ランス５８の端子押圧部６１が端子接続部２１の下面とランス支持台３７ｂの間に進入し、端子押圧部６１が端子接続部２１を押圧する。そして、接続端子１２の端子接続部２１が前方規制部３６に当接することにより接続端子１２の前進が停止する。このとき、リアホルダ１４の案内突起５３、５４がハウジングの案内窓３８、３９の前壁に当接すると共に、錠止突起５５、５６がハウジング１３の錠止溝にそれぞれ嵌合し、リアホルダ１４は本係合位置に係合する。
【００２１】
このように実施例では、リアホルダ１４の仮係合位置と本係合位置の双方において、係止ランス５８の側面がスタビライザ片２２、２３を介して仕切板３１に接触するため、仕切板３１により係止ランス５８の左右動を規制することができる。また、係止ランス５８の端子係止部６２が端子接続部２１の後端部を係止すると共に、スタビライザ片２２、２３の前縁が案内溝６３、６４の前壁を係止するため、接続端子１２の前後動をリアホルダ１４の本係合位置においては勿論のこと、仮係合位置においても規制することができる。
【００２２】
【発明の効果】
以上説明したように本発明に係るコネクタは、係止ランスにより接続端子の端子接続部の後部を係止して接続端子の後方への移動を規制することができると共に、端子接続部の後方に設けた係止片を係止して接続端子の前方への移動を規制することができ、係止ランスと接続端子の安定した係止状態を確保することが可能となる。
【図面の簡単な説明】
【図１】  実施例の断面図である。
【図２】  ハウジングとリアホルダの分解斜視図である。
【図３】  係止ランスの部分拡大斜視図である。
【図４】  ハウジングとリアホルダの仮係合位置の斜視図である。
【図５】  ハウジングとリアホルダの本係合位置の斜視図である。
【図６】  作用説明図である。
【符号の説明】
１２  接続端子
１３  ハウジング
１４  リアホルダ
２１  端子接続部
２２、２３  スタビライザ片
２５  被覆固定部
３１  仕切板
３２  端子収容室
５７  係止突起
５８  係止ランス
６２  端子係止部
６３  スタビライザ案内溝
【図１】
0003853857.tif 000002
【図２】
0003853857.tif 000003
【図３】
0003853857.tif 000004
【図４】
0003853857.tif 000005
【図５】
0003853857.tif 000006
【図６】
0003853857.tif 000007